(57)【要約】【課題】音源の入力を独立して調整可能な会議システムを提供する。【解決手段】会議システム３は、マイクロホンモジュール１と、ストレージモジュール３６と、デジタル信号処理モジュール３０と、増幅器３５とを備える。いずれかのマイクロホン１１から発生したオーディオ信号をデジタル信号処理モジュール３０に送信した時、デジタル信号処理モジュール３０は、ストレージモジュール３６内で対応するオーディオ調整パラメータを読み取り、ボリュームコントローラ３１、イコライザー３２、及び、フィードバックデストロイヤー３３でオーディオ信号の調整を行い、ミキサー３４、及び増幅器３５を経由してオーディオ信号をスピーカ２に出力する。よって単一のデジタル信号処理モジュール３０は、異なるマイクロホン１１及びオーディオ信号の調整を行うことができ、他のオーディオ信号と干渉することはない。【選択図】図３
2012120147.tif 000002
【特許請求の範囲】
【請求項１】
１個以上のオーディオ信号を発生させる複数のマイクロホンをデュアルループ接続して構成されるマイクロホンモジュールと、
前記マイクロホンモジュールの前記複数のマイクロホンのオーディオ調整パラメータを予め設定するストレージモジュールと、
前記オーディオ信号を受信し、前記マイクロホンモジュール、及び、前記ストレージモジュールと電気的に接続されると共に前記ストレージモジュールにおいて前記オーディオ信号に対応するオーディオ調整パラメータを読み取るデジタル信号処理モジュールと、
前記オーディオ信号を増幅して１個以上のスピーカに出力する増幅器と、
を備え、
前記デジタル信号処理モジュールは、
前記マイクロホンから発生した前記オーディオ信号の前記デジタル信号処理モジュールに送り込む優先順位を決定する優先度コントローラと、
前記優先度コントローラと電気的に接続され、前記オーディオ調整パラメータによって前記オーディオ信号の音量の大きさを調節するボリュームコントローラと、
前記ボリュームコントローラと電気的に接続され、前記オーディオ調整パラメータによって前記オーディオ信号を補償および修正するイコライザーと、
前記イコライザーと電気的に接続され、前記オーディオ調整パラメータによって前記オーディオ信号のフィードバック干渉を除去するフィードバックデストロイヤーと、
前記フィードバックデストロイヤーと前記増幅器とに電気的に接続され、複数の前記オーディオ信号をミキシングすると共に出力するミキサーと、を含むことを特徴とする会議システム。
【請求項２】
前記マイクロホンモジュールの前記マイクロホンは、有線マイクロホンであることを特徴とする請求項１に記載の会議システム。
【請求項３】
前記ストレージモジュールは、ハードディスク、フラッシュメモリ、および、メモリカードのいずれかであることを特徴とする請求項１に記載の会議システム。
【請求項４】
前記デジタル信号処理モジュール、前記ボリュームコントローラ、前記イコライザー、前記フィードバックデストロイヤー、前記ミキサー、前記増幅器、及び、前記優先度コントローラは、集積回路のハードウエア形式、集積回路にライティングしたファームウエア形式、および、プログラミング言語で作成されると共にマイクロプロセッサで読み取りおよび実行するソフトウエア形式のいずれかであることを特徴とする請求項１に記載の会議システム。
【請求項５】
前記デジタル信号処理モジュールは、前記ボリュームコントローラ、前記イコライザー、および前記フィードバックデストロイヤーで前記オーディオ信号を調整し、調整後のオーディオ調整パラメータを前記ストレージモジュールに保存することを特徴とする請求項１に記載の会議システム。
【請求項６】
前記ストレージモジュールは、前記デジタル信号処理モジュールの外部に設置されることを特徴とする請求項１に記載の会議システム。
【請求項７】
１個以上のオーディオ信号を発生させる複数のマイクロホンをデュアルループ接続して構成される複数のマイクロホンモジュールと、
前記複数のマイクロホンモジュールの前記マイクロホンのオーディオ調整パラメータを予め設定するストレージモジュールと、
前記オーディオ信号を受信し、前記マイクロホンモジュール、及び、前記ストレージモジュールと電気的に接続されると共に前記ストレージモジュールにおいて前記オーディオ信号に対応するオーディオ調整パラメータを読み取る複数のデジタル信号処理モジュールと、
複数の前記オーディオ信号をミキシングすると共にミキシングされたオーディオ信号を出力するミキサーと、
前記ミキサーと電気的に接続され、前記ミキシングされたオーディオ信号を増幅して１個以上のスピーカに出力する増幅器と、
を備える会議システムであって、
前記デジタル信号処理モジュールには、
前記マイクロホンから発生した前記オーディオ信号の前記デジタル信号処理モジュールに送り込む優先順位を決定する優先度コントローラと、
前記優先度コントローラと電気的に接続され、前記オーディオ調整パラメータによって前記オーディオ信号の音量の大きさを調節するボリュームコントローラと、
前記ボリュームコントローラと電気的に接続され、前記オーディオ調整パラメータによって前記オーディオ信号を補償および修正するイコライザーと、
前記イコライザーと前記ミキサーとに電気的に接続され、前記オーディオ調整パラメータによって前記オーディオ信号のフィードバック干渉を除去するフィードバックデストロイヤーとを、含むことを特徴とする会議システム。
【請求項８】
前記マイクロホンモジュールの前記マイクロホンは、有線マイクロホンであることを特徴とする請求項７に記載の会議システム。
【請求項９】
前記ストレージモジュールは、ハードディスク、フラッシュメモリ、および、メモリカードのいずれかであることを特徴とする請求項７に記載の会議システム。
【請求項１０】
前記デジタル信号処理モジュール、前記ボリュームコントローラ、前記イコライザー、前記フィードバックデストロイヤー、前記ミキサー、前記増幅器、及び、前記優先度コントローラは、集積回路のハードウエア形式、集積回路にライティングしたファームウエア形式、および、プログラミング言語で作成されると共にマイクロプロセッサで読み取りおよび実行するソフトウエア形式のいずれかであることを特徴とする請求項７に記載の会議システム。
【請求項１１】
前記デジタル信号処理モジュールは、前記ボリュームコントローラ、前記イコライザー、および前記フィードバックデストロイヤーで前記オーディオ信号を調整し、調整後のオーディオ調整パラメータを前記ストレージモジュールに保存することを特徴とする請求項７に記載の会議システム。
【請求項１２】
前記ストレージモジュールは、前記デジタル信号処理モジュールの外部に設置されることを特徴とする請求項７に記載の会議システム。
【請求項１３】
前記複数のデジタル信号処理モジュールは、単一の前記ミキサーを共用することを特徴とする請求項７に記載の会議システム。
【発明の詳細な説明】
【技術分野】
【０００１】
本発明は、会議システムに関し、特に、音源の入力を独立して調整可能な会議システムに関する。
【背景技術】
【０００２】
図１の従来の会議システムブロック図を参照にしながら説明する。図１に示すように、会議システム３Ａは、複数のループから成るマイクロホン１１ａに接続され、同じ時間内に一定数量のマイクロホン１１ａで送話を行っている。全ての回線に繋がれたマイクロホン１１ａで送話しようとする時、優先度コントローラ３７ａを通じて送話のマイクロホン１１ａを決定しなければならない。複数のマイクロホン１１ａで一斉に送話する時、各マイクロホン１１ａの優先度の高さにより送話の順位が決まる。複数の音声をスムーズに送信するため、まずミキサー３４ａを使用し、ミキサー３４ａで音声信号をミキシングして一緒に伝送する。スピーカ２ａに出力される音声信号の効果を更によくするため、イコライザー３２ａを通じて異なるオーディオ信号の状態を調整し、最後にフィードバックデストロイヤー３３ａがフードバックノイズを除去し、従って増幅器３５ａに出力してからスピーカ２ａに出力する。
【０００３】
上記から分かるように、どのマイクロホン１１ａから入力された音声信号を問わず、いずれも同じイコライザー３２ａとフィードバックデストロイヤー３３ａで調整する。ただし、全てのマイクロホン１１ａから入力された音声信号は必ず調整とフィードバック抑制とを行う必要があるわけではない。複数のマイクロホン１１ａがフィードバック抑制を行う時、フィードバック抑制の周波数ポイントが異なるため、会議システム３Ａから出力された音質が劣化し、且つフィードバック抑制を行う必要がないマイクロホン１１ａも一緒に調整されてしまう。
【０００４】
次に、図２の従来の会議システムブロック図を参照にしながら説明する。図２の会議システム３Ｂは、上記のバス型接続方法を改良するため、スター型接続に変更したものである。会議システム３Ｂの内部に、適当に複数のボリュームコントローラ３１ｂ、複数のイコライザー３２ｂ及び複数のフィードバックデストロイヤー３３ｂが設けられる。各マイクロホン１１ｂを会議システム３Ｂ内部に接続する時、１個のボリュームコントローラ３１ｂ、１個のイコライザー３２ｂ及び１個のフィードバックデストロイヤー３３ｂに対応し、最後に統一して優先度コントローラ３７ｂに伝送してからミキサー３４ｂ及び増幅器３５ｂを経由してスピーカ２ｂに出力する。
【０００５】
この方法の長所は、会議システム３Ｂの内部が各マイクロホン１１ｂに対して音声の調整を行うことができる。しかしながら、各マイクロホン１１ｂは、１組の対応するボリュームコントローラ３１ｂ、１個のイコライザー３２ｂ及び１個のフィードバックデストロイヤー３３ｂを有しなければならないという欠点がある。会議システム３Ｂが複数のマイクロホン１１ｂを使用するので、この種のシステムを使用とすると、相当数の設備と装置を購入しなければならず、購買コストが大幅に増える以外に、後日のメンテナンス料も増大する。
なお、会議システムは例えば、特許文献１に開示されている。
【先行技術文献】
【特許文献】
【０００６】
【特許文献１】特開２０１０−２２４１７７号公報
【発明の概要】
【発明が解決しようとする課題】
【０００７】
上記従来技術の問題点に鑑み、本発明は、音源の入力を独立して調整可能な会議システムを提供することを目的とする。
【課題を解決するための手段】
【０００８】
本発明による会議システムには、１個以上のオーディオ信号を発生させるに用いられる複数のマイクロホンをデュアルループ接続して構成されるマイクロホンモジュールと、これらマイクロホンのオーディオ調整パラメータを予め設定するストレージモジュールと、オーディオ信号を受信することに用いられ、それぞれマイクロホンモジュール及びストレージモジュールと電気的に接続されると共にストレージモジュールにおいてオーディオ信号に対応するオーディオ調整パラメータを読み取るデジタル信号処理モジュールと、デジタル信号処理モジュールと電気的に接続され、オーディオ信号を増幅して対外に出力する増幅器とを備える。
【０００９】
デジタル信号処理モジュールは下記を備える。
これらマイクロホンの優先順位によってオーディオ信号のデジタル信号処理モジュールに送り込む優先順位を決定する優先度コントローラ。
【００１０】
優先度コントローラと電気的に接続され、オーディオ調整パラメータによってオーディオ信号の音量の大きさを調節するボリュームコントローラ。
【００１１】
ボリュームコントローラと電気的に接続され、オーディオ調整パラメータによってオーディオ信号を補償および修正するイコライザー。
【００１２】
イコライザーと電気的に接続され、オーディオ調整パラメータによってオーディオ信号のフィードバック干渉を除去するフィードバックデストロイヤー。
【００１３】
フィードバックデストロイヤーと電気的に接続され、複数のオーディオ信号をミキシングすると共に出力するミキサー。
【００１４】
これにより、マイクロホンモジュールのいずれかのマイクロホンから発生したオーディオ信号をデジタル信号処理モジュールに送信した時、デジタル信号処理モジュールは、ストレージモジュール内で対応するオーディオ調整パラメータを読み取る。デジタル信号処理モジュールの優先度コントローラは、オーディオ信号のデジタル信号処理モジュールに送り込む優先順位を決定し、更にボリュームコントローラ、イコライザー及びフィードバックデストロイヤーを経由してオーディオ信号の調整を行い、最後にミキサー及び増幅器を経由してオーディオ信号をスピーカに出力する。よって、単一のデジタル信号処理モジュールが異なるマイクロホン及びマイクロホンが発生したオーディオ信号に対して調整を行うことができ、他のマイクロホンのオーディオ信号と干渉することはない。
【図面の簡単な説明】
【００１５】
【図１】従来の会議システムのブロック図である。
【図２】従来の会議システムのブロック図である。
【図３】本発明の第一実施例による会議システムのブロック図である。
【図４】本発明の第二実施例による会議システムのブロック図である。
【発明を実施するための形態】
【００１６】
以下、本発明による会議システムを図面に基づいて説明する。
（第一実施例）
図３に示すように、本発明の第一実施例による会議システム３は、マイクロホンモジュール１と、デジタル信号処理モジュール３０と、増幅器３５と、ストレージモジュール３６とを含む。
【００１７】
マイクロホンモジュール１は、複数のマイクロホン１１を備える。これらのマイクロホン１１は、デュアルループで接続され、１個以上のオーディオ信号の発生に用いられる。デュアルループを採用する長所は、これらのマイクロホン１１がオーディオ信号を発生させた時、いずれかのループに異常があった場合、別のループを通じてオーディオ信号の送信を行うことができることである。
【００１８】
ストレージモジュール３６は、これらのマイクロホン１１のオーディオ調整パラメータを予め設定している。つまりこれらのマイクロホン１１が受信した外部の音声をオーディオ信号に変換する時、受ける可能性のある干渉、ノイズ或いは音源の状態等を予めストレージモジュール３６内部に保存し、若しくは毎回調整されたパラメータをストレージモジュール３６内部に保存することができる。ストレージモジュール３６は、ハードディスク、フラッシュメモリ、又はメモリカードとすることができる。
【００１９】
デジタル信号処理モジュール３０は、それぞれマイクロホンモジュール１と、ストレージモジュール３６と電気的に接続され、オーディオ信号を受信すると共にストレージモジュール３６内でオーディオ信号に対応するオーディオ調整パラメータを読み取ることに用いられる。デジタル信号処理モジュール３０は、優先度コントローラ３７と、ボリュームコントローラ３１と、イコライザー３２と、フィードバックデストロイヤー３３と、ミキサー３４とを含む。
【００２０】
優先度コントローラ３７は、これらのマイクロホン１１の既定優先度によってオーディオ信号のデジタル信号処理モジュール３０に送り込む順位を決定する。
【００２１】
ボリュームコントローラ３１は、優先度コントローラ３７と電気的に接続され、読み取った対応のオーディオ調整パラメータによってオーディオ信号の音量の大きさを調節する。オーディオ信号の強度が過大或いは過小の時、ボリュームコントローラ３１は、オーディオ信号を適当な強度に調節することができる。
【００２２】
イコライザー３２は、ボリュームコントローラ３１と電気的に接続される。オーディオ信号をボリュームコントローラ３１により調節すると共にイコライザー３２に送信した後、イコライザー３２は、オーディオ調整パラメータによってオーディオ信号を補償および修正する。
【００２３】
フィードバックデストロイヤー３３は、イコライザー３２と電気的に接続される。オーディオ信号をフィードバックデストロイヤー３３に入力した後、フィードバックデストロイヤー３３は、オーディオ調整パラメータによってオーディオ信号のフィードバック干渉を除去する。
【００２４】
ミキサー３４は、フィードバックデストロイヤー３３と電気的に接続される。オーディオ信号をボリュームコントローラ３１、イコライザー３２及びフィードバックデストロイヤー３３を経由して調整すると共にミキサー３４に送信した後、ミキサー３４は、複数のオーディオ信号をミキシングすると共に出力する。
【００２５】
増幅器３５は、デジタル信号処理モジュール３０と電気的に接続され、オーディオ信号を増幅して１個以上のスピーカ２に出力することに用いられる。特に、デジタル信号処理モジュール３０、ボリュームコントローラ３１、イコライザー３２、フィードバックデストロイヤー３３、ミキサー３４、増幅器３５及び優先度コントローラ３７は集積回路のハードウエア形式、或いは集積回路にライティングしたファームウエア形式、若しくはプログラミング言語で作成すると共にマイクロプロセッサで読み取りおよび実行するソフトウエア形式とすることができる。
【００２６】
これにより、マイクロホンモジュール１のいずれかのマイクロホン１１から発生したオーディオ信号をデジタル信号処理モジュール３０に送信した時、デジタル信号処理モジュール３０は、ストレージモジュール３６内で対応するオーディオ調整パラメータを読み取る。デジタル信号処理モジュール３０の優先度コントローラ３７は、これらのマイクロホン１１に予め設定された優先度によりオーディオ信号のデジタル信号処理モジュール３０に送り込む順位を決定し、更にボリュームコントローラ３１、イコライザー３２及びフィードバックデストロイヤー３３を経由してオーディオ信号の調整を行い、最後にミキサー３４及び増幅器３５を経由してオーディオ信号をスピーカ２に出力する。よって、単一のデジタル信号処理モジュール３０は、異なるマイクロホン１１及びマイクロホン１１が発生したオーディオ信号に対して調整を行うことができ、他のマイクロホン１１のオーディオ信号と干渉することはない。
【００２７】
次に、デジタル信号処理モジュール３０は、優先度コントローラ３７でこれらのマイクロホン１１に予め設定された優先度によってオーディオ信号のデジタル信号処理モジュール３０に送り込む順位を決定し、ボリュームコントローラ３１、イコライザー３２、およびフィードバックデストロイヤー３３でオーディオ信号を調整する。また、デジタル信号処理モジュール３０は、毎回調整後のオーディオ調整パラメータをストレージモジュール３６に保存することができる。
【００２８】
（第二実施例）
図４に示すように、本実施例と第一実施例（図３参照）との差異は、会議システム３に複数のマイクロホンモジュール１及び複数のデジタル信号処理モジュール３０が設けられていることである。これにより、会議システム３は、数量が更に多くのマイクロホン１１に接続され、デジタル信号処理モジュール３０で運用する時、システム負荷が軽減し、マルチタスクに対応することができる。特に、複数のデジタル信号処理モジュール３０は、単一のミキサー３４を共用する。
【００２９】
上記実施例において、マイクロホン１１を有線マイクロホンにしたが、本発明においては、マイクロホンを無線マイクロホンにしてもよい。
上記実施例において、ストレージモジュール３６がデジタル信号処理モジュール３０の外部に設置されることにしたが、本発明においては、ストレージモジュール３６は、デジタル信号処理モジュール３０の内部に設置されてもよい。
【００３０】
以上、本発明はこのような実施例に限定されるものではなく、発明の趣旨を逸脱しない範囲において、種々の形態で実施することができる。
【符号の説明】
【００３１】
<本発明>
１    ・・・マイクロホンモジュール
３    ・・・会議システム
１１  ・・・マイクロホン
３０  ・・・デジタル信号処理モジュール
３１  ・・・ボリュームコントローラ
３２  ・・・イコライザー
３３  ・・・フィードバックデストロイヤー
３４  ・・・ミキサー
３５  ・・・増幅器
３６  ・・・ストレージモジュール
３７  ・・・優先度コントローラ
<従来>
３Ａ、３Ｂ      ・・・会議システム
１１ａ、１１ｂ  ・・・マイクロホン
３１ａ、３１ｂ  ・・・ボリュームコントローラ
３２ａ、３２ｂ  ・・・イコライザー
３３ａ、３３ｂ  ・・・フィードバックデストロイヤー
３４ａ、３４ｂ  ・・・ミキサー
３５ａ、３５ｂ  ・・・増幅器
３７ａ、３７ｂ  ・・・優先度コントローラ
【図１】
2012120147.tif 000003
【図２】
2012120147.tif 000004
【図３】
2012120147.tif 000005
【図４】
2012120147.tif 000006